(57)【要約】【課題】「Ｆａｓｔ  Ｒｅｄｉｒｅｃｔｉｏｎ手順」の連続失敗の発生を回避する。【解決手段】本発明に係る移動通信端末ＵＥは、ＵＴＲＡＮ配下のセルで待ち受けを行っている際に、ＵＴＲＡＮに対して「ｐｒｅ-ｒｅｄｉｅｃｔｉｏｎ  ｉｎｆｏ」が設定されている「ＲＲＣ  Ｃｏｎｎｅｃｔｉｏｎ  Ｒｅｑｕｅｓｔ」を送信した後、ＵＴＲＡＮからＥ-ＵＴＲＡＮの周波数が通知された場合に、かかるＥ-ＵＴＲＡＮの周波数のセルをサーチするように構成されている通信制御部１１を具備し、通信制御部１１は、かかるサーチにおいて選択可能なセルを見つけることができなかった場合、ＵＴＲＡＮに対して、「ｐｒｅ-ｒｅｄｉｅｃｔｉｏｎ  ｉｎｆｏ」が設定されていない「ＲＲＣ  Ｃｏｎｎｅｃｔｉｏｎ  Ｒｅｑｕｅｓｔ」を再送する。【選択図】図４
2014204341.tif 000002
【特許請求の範囲】
【請求項１】
第１無線アクセスネットワーク配下のセルで待ち受けを行っている移動通信端末が、該第１無線アクセスネットワークに対して、リダイレクション情報が設定されているコネクション設定要求信号を送信する工程と、
前記第１無線アクセスネットワークが、前記コネクション設定要求信号内に前記リダイレクション情報が設定されていることに基づいて、前記移動通信端末に対して、第２無線アクセスネットワークの周波数を通知する工程と、
前記移動通信端末が、通知された前記周波数のセルをサーチする工程と、
前記移動通信端末が、前記サーチにおいて選択可能なセルを見つけることができなかった場合、前記第１無線アクセスネットワークに対して、前記リダイレクション情報が設定されていない前記コネクション設定要求信号を再送する工程を有することを特徴とする移動通信方法。
【請求項２】
第１無線アクセスネットワーク配下のセルで待ち受けを行っている際に、該第１無線アクセスネットワークに対してリダイレクション情報が設定されているコネクション設定要求信号を送信した後、該第１無線アクセスネットワークから第２無線アクセスネットワークの周波数が通知された場合に、該周波数のセルをサーチするように構成されている通信制御部を具備しており、
前記通信制御部は、前記サーチにおいて選択可能なセルを見つけることができなかった場合、前記第１無線アクセスネットワークに対して、前記リダイレクション情報が設定されていない前記コネクション設定要求信号を再送するように構成されていることを特徴とする移動通信端末。
【発明の詳細な説明】
【技術分野】
【０００１】
本発明は、移動通信方法及び移動通信端末に関する。
【背景技術】
【０００２】
３ＧＰＰの仕様において、「Ｆａｓｔ  Ｒｅｄｉｒｅｃｔｉｏｎ手順」と呼ばれる手順が規定されている。以下、図５を参照して、「Ｆａｓｔ  Ｒｅｄｉｒｅｃｔｉｏｎ手順」について簡単に説明する。
【０００３】
図５に示すように、移動通信端末ＵＥは、ステップＳ１０００において、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）配下のセルで待ち受けを行っている場合に、ステップＳ１００１において、例えば、パケット送信を行うことを決定した場合に、ステップＳ１００２において、ＵＴＲＡＮに対して、「ｐｒｅ-ｒｅｄｉｒｅｃｔｉｏｎ  ｉｎｆｏ」が設定されている「ＲＲＣ  Ｃｏｎｎｅｃｔｉｏｎ  Ｒｅｑｕｅｓｔ」を送信する。
【０００４】
ステップＳ１００３において、ＵＴＲＡＮは、上述の「ＲＲＣ  Ｃｏｎｎｅｃｔｉｏｎ  Ｒｅｑｕｅｓｔ」に応じて、「Ｆａｓｔ  Ｒｅｄｉｒｅｃｔｉｏｎ手順」を起動することを決定し、移動通信端末ＵＥに対して、Ｅ-ＵＴＲＡＮの周波数を通知する「ＲＲＣ  Ｃｏｎｎｅｃｔｉｏｎ  Ｒｅｊｅｃｔ」を送信する。
【０００５】
移動通信端末ＵＥは、ステップＳ１００４において、通知されたＥ-ＵＴＲＡＮの周波数のセルをサーチし、ステップＳ１００５において、かかるサーチにおいて選択したセルでの待ち受けを開始し、ステップＳ１００６において、Ｅ-ＵＴＲＡＮに対して、「ＲＲＣ  Ｃｏｎｎｅｃｔｉｏｎ  Ｒｅｑｕｅｓｔ」を送信する。
【０００６】
その結果、移動通信端末ＵＥは、Ｅ-ＵＴＲＡＮにおいて、高速なパケット通信を開始することができる。
【０００７】
ここで、「ＲＲＣ  Ｃｏｎｎｅｃｔｉｏｎ  Ｒｅｑｕｅｓｔ」に「ｐｒｅ-ｒｅｄｉｒｅｃｔｉｏｎ  ｉｎｆｏ」を設定するか否かについては、移動通信端末ＵＥが、ＬＴＥ（Ｌｏｎｇ  Ｔｅｒｍ  Ｅｖｏｌｕｔｉｏｎ）方式の能力をサポートしているか否かに依存する。
【０００８】
すなわち、移動通信端末ＵＥにおいて、ＬＴＥ方式の能力をサポートしていることが、「ＲＲＣ  Ｃｏｎｎｅｃｔｉｏｎ  Ｒｅｑｕｅｓｔ」に「ｐｒｅ-ｒｅｄｉｒｅｃｔｉｏｎ  ｉｎｆｏ」を設定するための必要条件である。
【０００９】
逆に、移動通信端末ＵＥは、ＬＴＥ方式の能力をサポートしていない場合には、「ＲＲＣ  Ｃｏｎｎｅｃｔｉｏｎ  Ｒｅｑｕｅｓｔ」に「ｐｒｅ-ｒｅｄｉｒｅｃｔｉｏｎ  ｉｎｆｏ」を設定しない。
【００１０】
したがって、ＵＴＲＡＮは、「ＲＲＣ  Ｃｏｎｎｅｃｔｉｏｎ  Ｒｅｑｕｅｓｔ」に「ｐｒｅ-ｒｅｄｉｒｅｃｔｉｏｎ  ｉｎｆｏ」が設定されているか否かについて判定し、「ＲＲＣ  Ｃｏｎｎｅｃｔｉｏｎ  Ｒｅｑｕｅｓｔ」に「ｐｒｅ-ｒｅｄｉｒｅｃｔｉｏｎ  ｉｎｆｏ」が設定されていない場合には、上述の「Ｆａｓｔ  Ｒｅｄｉｒｅｃｔｉｏｎ手順」を起動しない。
【先行技術文献】
【非特許文献】
【００１１】
【非特許文献１】３ＧＰＰ  ＴＳ２５.３３１
【発明の概要】
【発明が解決しようとする課題】
【００１２】
ここで、「Ｆａｓｔ  Ｒｅｄｉｒｅｃｔｉｏｎ手順」は、ＵＴＲＡＮによって移動通信端末ＵＥに通知されるＥ-ＵＴＲＡＮの周波数において、選択可能なセルが存在することを期待した手順である。
【００１３】
しかしながら、実際のネットワーク運用上は、Ｅ-ＵＴＲＡＮの一時的な装置故障等により、Ｅ-ＵＴＲＡＮに選択可能なセルが存在しない場合がある。
【００１４】
かかる場合、移動通信端末ＵＥは、ＵＴＲＡＮによって通知された周波数以外のＥ-ＵＴＲＡＮの周波数をサーチし、かかるサーチにおいて選択可能なセルを見つけた場合、かかるセルを選択してもよい。
【００１５】
ただし、移動通信端末ＵＥが、最終的に、Ｅ-ＵＴＲＡＮの周波数において選択可能なセルを見つけることができない場合には、図６に示すように、ＵＴＲＡＮに対して「ＲＲＣ  Ｃｏｎｎｅｃｔｉｏｎ  Ｒｅｑｕｅｓｔ」を再送する。
【００１６】
ここで、移動通信端末ＵＥは、図６に示すように、かかる「ＲＲＣ  Ｃｏｎｎｅｃｔｉｏｎ  Ｒｅｑｕｅｓｔ」にも「ｐｒｅ-ｒｅｄｉｒｅｃｔｉｏｎ  ｉｎｆｏ」を設定するため、ＵＴＲＡＮは、再度「Ｆａｓｔ  Ｒｅｄｉｒｅｃｔｉｏｎ手順」を起動してしまい、かかる「Ｆａｓｔ  Ｒｅｄｉｒｅｃｔｉｏｎ手順」の連続失敗（ピンポン）が発生し、通信不可状態が引き起こされてしまうという問題点があった。
【００１７】
なお、ＵＴＲＡＮの実装仕様として、例えば、前回行われた「Ｆａｓｔ  Ｒｅｄｉｒｅｃｔｉｏｎ手順」から所定時間が経過する前に「ＲＲＣ  Ｃｏｎｎｅｃｔｉｏｎ  Ｒｅｑｕｅｓｔ」を受信した場合には、「Ｆａｓｔ  Ｒｅｄｉｒｅｃｔｉｏｎ手順」を起動せず、ＵＴＲＡＮにおいて接続を行うという対策が考えられる。
【００１８】
しかしながら、ＵＴＲＡＮが、前回行われた「Ｆａｓｔ  Ｒｅｄｉｒｅｃｔｉｏｎ手順」から所定時間が経過する前に「ＲＲＣ  Ｃｏｎｎｅｃｔｉｏｎ  Ｒｅｑｕｅｓｔ」を受信するかどうかは、移動通信端末ＵＥにおけるサーチ動作及び無線環境に依存するため、かかる対策によって、上述の問題点を確実に解決することができない。
【００１９】
そこで、本発明は、上述の課題に鑑みてなされたものであり、「Ｆａｓｔ  Ｒｅｄｉｒｅｃｔｉｏｎ手順」の連続失敗の発生を回避することができる移動通信方法及び移動通信端末を提供することを目的とする。
【課題を解決するための手段】
【００２０】
本発明の第１の特徴は、移動通信方法であって、第１無線アクセスネットワーク配下のセルで待ち受けを行っている移動通信端末が、該第１無線アクセスネットワークに対して、リダイレクション情報が設定されているコネクション設定要求信号を送信する工程と、前記第１無線アクセスネットワークが、前記コネクション設定要求信号内に前記リダイレクション情報が設定されていることに基づいて、前記移動通信端末に対して、第２無線アクセスネットワークの周波数を通知する工程と、前記移動通信端末が、通知された前記周波数のセルをサーチする工程と、前記移動通信端末が、前記サーチにおいて選択可能なセルを見つけることができなかった場合、前記第１無線アクセスネットワークに対して、前記リダイレクション情報が設定されていない前記コネクション設定要求信号を再送する工程を有することを要旨とする。
【００２１】
本発明の第２の特徴は、移動通信端末であって、第１無線アクセスネットワーク配下のセルで待ち受けを行っている際に、該第１無線アクセスネットワークに対してリダイレクション情報が設定されているコネクション設定要求信号を送信した後、該第１無線アクセスネットワークから第２無線アクセスネットワークの周波数が通知された場合に、該周波数のセルをサーチするように構成されている通信制御部を具備しており、前記通信制御部は、前記サーチにおいて選択可能なセルを見つけることができなかった場合、前記第１無線アクセスネットワークに対して、前記リダイレクション情報が設定されていない前記コネクション設定要求信号を再送するように構成されていることを要旨とする。
【発明の効果】
【００２２】
以上説明したように、本発明によれば、「Ｆａｓｔ  Ｒｅｄｉｒｅｃｔｉｏｎ手順」の連続失敗の発生を回避することができる移動通信方法及び移動通信端末を提供することができる。
【図面の簡単な説明】
【００２３】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を示すフローチャートである。
【図４】本発明の第１の実施形態に係る移動局の動作を示すフローチャートである。
【図５】従来技術を説明するための図である。
【図６】従来技術を説明するための図である。
【発明を実施するための形態】
【００２４】
（本発明の第１の実施形態に係る移動通信システム）
図１乃至図４を参照して、本発明の第１の実施形態に係る移動通信システムについて説明する。本実施形態では、本実施形態に係る移動通信システムとして、ＷＣＤＭＡ方式やＬＴＥ方式の移動通信システムを例示して説明するが、本発明は、ＷＣＤＭＡ方式やＬＴＥ方式以外の移動通信システムにも適用可能である。
【００２５】
図１に示すように、本実施形態に係る移動通信システムは、ＵＴＲＡＮと、Ｅ-ＵＴＲＡＮと、移動通信端末ＵＥとを具備している。
【００２６】
ここで、ＵＴＲＡＮには、無線回線制御局ＲＮＣ及び無線基地局ＮｏｄｅＢが設けられており、Ｅ-ＵＴＲＡＮには、無線基地局ｅＮＢが設けられている。
【００２７】
図２に示すように、本実施形態に係る移動通信端末ＵＥは、通信制御部１１と、記憶部１２と、設定部１３とを具備している。なお、本実施形態に係る移動通信端末ＵＥは、ＬＴＥ方式の能力をサポートしているものとする。
【００２８】
通信制御部１１は、移動通信端末ＵＥの通信制御全般の機能を担うように構成されている。
【００２９】
例えば、通信制御部１１は、ＵＴＲＡＮ配下のセルで待ち受けを行っている際に、ＵＴＲＡＮに対して「ｐｒｅ-ｒｅｄｉｅｃｔｉｏｎ  ｉｎｆｏ」が設定されている「ＲＲＣ  Ｃｏｎｎｅｃｔｉｏｎ  Ｒｅｑｕｅｓｔ」を送信した後、ＵＴＲＡＮからＥ-ＵＴＲＡＮの周波数を含む「ＲＲＣ  Ｃｏｎｎｅｃｔｉｏｎ  Ｒｅｊｅｃｔ」を受信した場合に、かかるＥ-ＵＴＲＡＮの周波数のセルをサーチするように構成されている。
【００３０】
通信制御部１１は、かかるサーチにおいて選択可能なセルを見つけることができなかった場合、ＵＴＲＡＮに対して、「ｐｒｅ-ｒｅｄｉｅｃｔｉｏｎ  ｉｎｆｏ」が設定されていない「ＲＲＣ  Ｃｏｎｎｅｃｔｉｏｎ  Ｒｅｑｕｅｓｔ」を再送するように構成されている。
【００３１】
記憶部１２は、「Ｆａｓｔ  Ｒｅｄｉｒｅｃｔｉｏｎ失敗フラグ」を記憶するように構成されている。例えば、「Ｆａｓｔ  Ｒｅｄｉｒｅｃｔｉｏｎ失敗フラグ」の初期値は「０」である。
【００３２】
設定部１３は、記憶部１２によって記憶されている「Ｆａｓｔ  Ｒｅｄｉｒｅｃｔｉｏｎ失敗フラグ」の値を設定するように構成されている。
【００３３】
例えば、通信制御部１１が、上述のサーチにおいて選択可能なセルを見つけることができなかった場合、設定部１３は、「Ｆａｓｔ  Ｒｅｄｉｒｅｃｔｉｏｎ失敗フラグ」の値に「１」を設定するように構成されている。
【００３４】
その後、通信制御部１１が、上述のサーチにおいて選択可能なセルを見つけることができた場合、設定部１３は、「Ｆａｓｔ  Ｒｅｄｉｒｅｃｔｉｏｎ失敗フラグ」の値を「１」から「０」に変更するように構成されていてもよい。
【００３５】
ここで、通信制御部１１は、「ＲＲＣ  Ｃｏｎｎｅｃｔｉｏｎ  Ｒｅｑｕｅｓｔ」を再送する場合、記憶部１２によって記憶されている「Ｆａｓｔ  Ｒｅｄｉｒｅｃｔｉｏｎ失敗フラグ」の値に基づいて、かかる「ＲＲＣ  Ｃｏｎｎｅｃｔｉｏｎ  Ｒｅｑｕｅｓｔ」に「ｐｒｅ-ｒｅｄｉｅｃｔｉｏｎ  ｉｎｆｏ」を設定すべきか否かについて決定するように構成されている。
【００３６】
例えば、通信制御部１１は、「ＲＲＣ  Ｃｏｎｎｅｃｔｉｏｎ  Ｒｅｑｕｅｓｔ」を再送する場合に、記憶部１２によって記憶されている「Ｆａｓｔ  Ｒｅｄｉｒｅｃｔｉｏｎ失敗フラグ」の値が「０」である場合には、かかる「ＲＲＣ  Ｃｏｎｎｅｃｔｉｏｎ  Ｒｅｑｕｅｓｔ」に「ｐｒｅ-ｒｅｄｉｅｃｔｉｏｎ  ｉｎｆｏ」を設定すべきであると決定するように構成されていてもよい。
【００３７】
一方、通信制御部１１は、「ＲＲＣ  Ｃｏｎｎｅｃｔｉｏｎ  Ｒｅｑｕｅｓｔ」を再送する場合に、記憶部１２によって記憶されている「Ｆａｓｔ  Ｒｅｄｉｒｅｃｔｉｏｎ失敗フラグ」の値が「１」である場合には、かかる「ＲＲＣ  Ｃｏｎｎｅｃｔｉｏｎ  Ｒｅｑｕｅｓｔ」に「ｐｒｅ-ｒｅｄｉｅｃｔｉｏｎ  ｉｎｆｏ」を設定すべきでないと決定するように構成されていてもよい。
【００３８】
以下、図３及び図４を参照して、本実施形態に係る移動通信システムの動作、具体的には、本実施形態に係る移動通信端末ＵＥの動作について説明する。
【００３９】
第１に、図３を参照して、本実施形態に係る移動通信端末ＵＥが「Ｆａｓｔ  Ｒｅｄｉｒｅｃｔｉｏｎ手順」においてＥ-ＵＴＲＡＮの周波数のセルをサーチする際の動作について説明する。
【００４０】
図３に示すように、移動通信端末ＵＥは、ＵＴＲＡＮ配下のセルで待ち受けを行っている際に、ＵＴＲＡＮに対して「ｐｒｅ-ｒｅｄｉｅｃｔｉｏｎ  ｉｎｆｏ」が設定されている「ＲＲＣ  Ｃｏｎｎｅｃｔｉｏｎ  Ｒｅｑｕｅｓｔ」を送信した後、ＵＴＲＡＮからＥ-ＵＴＲＡＮの周波数を含む「ＲＲＣ  Ｃｏｎｎｅｃｔｉｏｎ  Ｒｅｊｅｃｔ」を受信した場合に、ステップＳ１０１において、かかるＥ-ＵＴＲＡＮの周波数のセルをサーチする。
【００４１】
ここで、移動通信端末ＵＥが、かかるＥ-ＵＴＲＡＮの周波数のセル（ＬＴＥ方式のセル）を選択することができなかった場合、本動作は、ステップＳ１０２に進み、移動通信端末ＵＥが、かかるＥ-ＵＴＲＡＮの周波数のセル（ＬＴＥ方式のセル）を選択することができた場合、本動作は、ステップＳ１０３に進む。
【００４２】
ステップＳ１０２において、移動通信端末ＵＥは、「Ｆａｓｔ  Ｒｅｄｉｒｅｃｔｉｏｎ失敗フラグ」の値に「１」を設定する。
【００４３】
一方、ステップＳ１０３において、移動通信端末ＵＥは、「Ｆａｓｔ  Ｒｅｄｉｒｅｃｔｉｏｎ失敗フラグ」の値に「０」を設定する。
【００４４】
第２に、図４を参照して、本実施形態に係る移動通信端末ＵＥが「ＲＲＣ  Ｃｏｎｎｅｃｔｉｏｎ  Ｒｅｑｕｅｓｔ」を送信する際の動作について説明する。
【００４５】
図４に示すように、ステップＳ２０１において、移動通信端末ＵＥは、かかる「ＲＲＣ  Ｃｏｎｎｅｃｔｉｏｎ  Ｒｅｑｕｅｓｔ」が再送であるか否かについて判定する。
【００４６】
かかる「ＲＲＣ  Ｃｏｎｎｅｃｔｉｏｎ  Ｒｅｑｕｅｓｔ」が再送であると判定された場合、本動作は、ステップＳ２０２に進み、かかる「ＲＲＣ  Ｃｏｎｎｅｃｔｉｏｎ  Ｒｅｑｕｅｓｔ」が再送でないと判定された場合、本動作は、ステップＳ２０４に進む。
【００４７】
ステップＳ２０２において、移動通信端末ＵＥは、「Ｆａｓｔ  Ｒｅｄｉｒｅｃｔｉｏｎ失敗フラグ」の値に「１」が設定されているか否かについて判定する。
【００４８】
「Ｆａｓｔ  Ｒｅｄｉｒｅｃｔｉｏｎ失敗フラグ」の値に「１」が設定されていると判定された場合、本動作は、ステップＳ２０３に進み、「Ｆａｓｔ  Ｒｅｄｉｒｅｃｔｉｏｎ失敗フラグ」の値に「１」が設定されていないと判定された場合、本動作は、ステップＳ２０４に進む。
【００４９】
ステップＳ２０３において、移動通信端末ＵＥは、送信する「ＲＲＣ  Ｃｏｎｎｅｃｔｉｏｎ  Ｒｅｑｕｅｓｔ」に「ｐｒｅ-ｒｅｄｉｅｃｔｉｏｎ  ｉｎｆｏ」を設定しない。
【００５０】
ステップＳ２０４において、移動通信端末ＵＥは、既存の３ＧＰＰ仕様に従って、送信する「ＲＲＣ  Ｃｏｎｎｅｃｔｉｏｎ  Ｒｅｑｕｅｓｔ」に「ｐｒｅ-ｒｅｄｉｅｃｔｉｏｎ  ｉｎｆｏ」を設定するか否かについて決定する。
【００５１】
すなわち、移動通信端末ＵＥは、ＬＴＥ方式をサポートしており且つ所定条件を満たす場合に、送信する「ＲＲＣ  Ｃｏｎｎｅｃｔｉｏｎ  Ｒｅｑｕｅｓｔ」に「ｐｒｅ-ｒｅｄｉｅｃｔｉｏｎ  ｉｎｆｏ」を設定し、ＬＴＥ方式をサポートしていない場合或いは所定条件を満たしていない場合、送信する「ＲＲＣ  Ｃｏｎｎｅｃｔｉｏｎ  Ｒｅｑｕｅｓｔ」に「ｐｒｅ-ｒｅｄｉｅｃｔｉｏｎ  ｉｎｆｏ」を設定しない。
【００５２】
ステップＳ２０５において、移動通信端末ＵＥは、「Ｆａｓｔ  Ｒｅｄｉｒｅｃｔｉｏｎ失敗フラグ」の値に「０」を設定する。
【００５３】
以上に述べた本実施形態の特徴は、以下のように表現されていてもよい。
【００５４】
本実施形態の第１の特徴は、移動通信方法であって、ＵＴＲＡＮ（第１無線アクセスネットワーク）配下のセルで待ち受けを行っている移動通信端末ＵＥが、ＵＴＲＡＮに対して、「ｐｒｅ-ｒｅｄｉｅｃｔｉｏｎ  ｉｎｆｏ（リダイレクション情報）」が設定されている「ＲＲＣ  Ｃｏｎｎｅｃｔｉｏｎ  Ｒｅｑｕｅｓｔ（コネクション設定要求信号）」を送信する工程と、ＵＴＲＡＮが、「ＲＲＣ  Ｃｏｎｎｅｃｔｉｏｎ  Ｒｅｑｕｅｓｔ」内に「ｐｒｅ-ｒｅｄｉｅｃｔｉｏｎ  ｉｎｆｏ」が設定されていることに基づいて、移動通信端末ＵＥに対して、Ｅ-ＵＴＲＡＮ（第２無線アクセスネットワーク）の周波数を通知する工程と、移動通信端末ＵＥが、通知されたＥ-ＵＴＲＡＮの周波数のセルをサーチする工程と、移動通信端末ＵＥが、かかるサーチにおいて選択可能なセルを見つけることができなかった場合、ＵＴＲＡＮに対して、「ｐｒｅ-ｒｅｄｉｅｃｔｉｏｎ  ｉｎｆｏ」が設定されていない「ＲＲＣ  Ｃｏｎｎｅｃｔｉｏｎ  Ｒｅｑｕｅｓｔ」を再送する工程を有することを要旨とする。
【００５５】
かかる特徴によれば、「Ｆａｓｔ  Ｒｅｄｉｒｅｃｔｉｏｎ手順」の連続失敗の発生を回避することができ、移動通信端末ＵＥの通信品質の劣化を防ぐことができる。
【００５６】
本実施形態の第２の特徴は、移動通信端末ＵＥであって、ＵＴＲＡＮ配下のセルで待ち受けを行っている際に、ＵＴＲＡＮに対して「ｐｒｅ-ｒｅｄｉｅｃｔｉｏｎ  ｉｎｆｏ」が設定されている「ＲＲＣ  Ｃｏｎｎｅｃｔｉｏｎ  Ｒｅｑｕｅｓｔ」を送信した後、ＵＴＲＡＮからＥ-ＵＴＲＡＮの周波数が通知された場合に、かかるＥ-ＵＴＲＡＮの周波数のセルをサーチするように構成されている通信制御部１１を具備しており、通信制御部１１は、かかるサーチにおいて選択可能なセルを見つけることができなかった場合、ＵＴＲＡＮに対して、「ｐｒｅ-ｒｅｄｉｅｃｔｉｏｎ  ｉｎｆｏ」が設定されていない「ＲＲＣ  Ｃｏｎｎｅｃｔｉｏｎ  Ｒｅｑｕｅｓｔ」を再送するように構成されていることを要旨とする。
【００５７】
かかる特徴によれば、「Ｆａｓｔ  Ｒｅｄｉｒｅｃｔｉｏｎ手順」の連続失敗の発生を回避することができ、移動通信端末ＵＥの通信品質の劣化を防ぐことができる。
【００５８】
なお、上述の移動通信端末ＵＥの動作は、ハードウェアによって実施されてもよいし、プロセッサによって実行されるソフトウェアモジュールによって実施されてもよいし、両者の組み合わせによって実施されてもよい。
【００５９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動通信端末ＵＥ内に設けられていてもよい。また、かかる記憶媒体及びプロセッサは、ディスクリートコンポーネントとして移動通信端末ＵＥ内に設けられていてもよい。
【００６１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６２】
ＵＥ…移動通信端末
１１…通信制御部
１２…記憶部
１３…設定部
【図１】
2014204341.tif 000003
【図２】
2014204341.tif 000004
【図３】
2014204341.tif 000005
【図４】
2014204341.tif 000006
【図５】
2014204341.tif 000007
【図６】
2014204341.tif 000008